(57)【特許請求の範囲】
【請求項１】
弾性を有する伸縮布部（１）に、膝装着時に膝を挟んでその上下側に位置し且つ復元機能を利用して下腿の前への蹴出しを強める二本のゴムチューブ（２）を長手方向に沿って設けると共に、長手方向に沿って二本のゴムチューブ（２）を一部露出（３）させた状態で伸縮自在に保持する複数の中央非伸縮布部（４）と端非伸縮布部（５）を取り付け、中央非伸縮布部（４）の両端の内側に膝蓋パッド（１１）を設け、ゴムチューブ（２）の伸縮部を膝蓋部の両端に設け、ゴムチューブ露出部（３）に環状の被覆帯（６）を設け、ゴムチューブ（２）の両端を固定し、端非伸縮布部（５）の両端に大腿脛骨関節の外側及び内側側副靭帯を支える膝側面パッド（９）を設け滑り止め布（１０）で被い、伸縮布部（１）から分岐した二本の長短の帯に膝裏パッド（１２）を設け、膝蓋パッド（１１）と膝裏パッド（１２）を非伸縮布部（１３）で被い、膝蓋パッド（１１）間の中央の伸縮布部（１）に長手方向に横の切り口（１４）を入れ、分岐した二本の長短の帯の端部内面及び伸縮布部（１）の他端部外面に面ファスナー（１５）を設けたゴムチューブとパッドを利用した歩行促進膝バンド。
【請求項２】
膝バンドを固定部と伸縮部に分け、固定部の膝蓋部は、ゴムチューブ（２）を伸縮自在に保持する中央非伸縮布部（４）の両端の内側に膝蓋パッド（１１）を設け非伸縮布部（１３）で被い、膝蓋パッド（１１）間の中央の伸縮布部（１）に長手方向に横の切り口（１４）を入れ、伸縮部の膝蓋部両端に中央非伸縮布部（４）及び端非伸縮布部（５）で被覆されないゴムチューブ露出部（３）を伸縮自在に取り付け、端非伸縮布部（５）の両端に設けた膝側面パッド（９）を滑り止め布（１０）で被い、また、伸縮布部（１）から分岐した二本の長短の帯に膝裏パッド（１２）を設け非伸縮布部（１３）で被い、分岐した二本の長短の帯の端部内面及び伸縮布部（１）の他端部外面に面フアスナー（１５）設けたゴムチューブとパッドを利用した請求項１記載のゴムチューブとパッドを利用した歩行促進膝バンド。
【請求項３】
二本のゴムチューブ（２）のうち、下のゴムチューブ（２）を上のゴムチューブ（２）より短めに、また、分岐した二本の帯のうち下の帯を上の帯より短めに設けた請求項１記載のゴムチューブとパッドを利用した歩行促進膝バンド。
【発明の詳細な説明】
【０００１】
【発明の属する技術分野】
本発明は、弾性を有する伸縮布部にゴムチューブとパッドを設け膝蓋部を支え、ゴムチューブの収縮及び弛緩により歩行時の下腿の蹴りだしを強め脚の振り出しを加速させ且つ歩行支援と歩行の促進を行なうゴムチューブとパッドを利用した歩行促進膝バンドに関する。
【０００２】
【従来の技術】
従来の膝バンドにおいては、伸縮自在に設けたサポーター本体の長手方向の両端部が一対の舌片からなり、板バネが膝部の両側面に接する付近のサポーター本体に当て布を介して被い、両端部の一対の舌片と重なり合うようにサポーター本体の表面に左右対象に被覆帯が配設され面フアスナーで装着していた（例えば実用新案登録３０１０００８）。
【０００３】
【発明が解決しようとする課題】
従来の膝バンドは、伸縮自在な被覆帯の膝部の両側面に板バネを装着しているので、装着歩行中に膝関節に軟部組織または関節（骨形状）の変化がおこるため膝関節の関節軸と膝バンドの機械軸とが一致せず、膝バンドがずり下がったり回旋を起こしたりしていた。また、膝蓋部の窪みにずれ防止の適合性の良いパッドを設けておらず運動追従性が悪く、また、材料を伸縮自在の天然ゴム及びポリエステルを使用しているので歩行時の屈伸運動時に材料が伸び過ぎて膝蓋部、大腿脛骨関節及び靭帯の支えが弱く、さらに、従来のバンドは受動的で、歩行時の下腿の前への蹴り出しがなく歩行を支援し歩行を促進する能動的機能を有する膝バンドの概念が皆無と言う問題点があった。
【０００４】
本発明は膝バンドを固定部と伸縮部に分け、固定部の膝蓋部は、ゴムチューブを伸縮自在に保持する中央非伸縮布部の両端の内側に膝蓋パッドを設け非伸縮布部で被い、膝蓋パッド間の中央の伸縮布部に長手方向に横の切り口を入れ、伸縮部の膝蓋部両端に中央非伸縮布部及び端非伸縮布部で被覆されないゴムチューブ露出部を伸縮自在に取り付け、端非伸縮布部の両端に設けた膝側面パッドを滑り止め布で被い、また、伸縮布部から分岐した二本の長短の帯に膝裏パッドを設け非伸縮布部で被い、分岐した二本の長短の帯の端部内面及び伸縮布部の他端部外面に面フアスナーを設けることにより、装着歩行での膝関節の関節軸と機械軸を一致させ、ずれを防ぎ運動追従性を改善し、さらに、靭帯を保護し関節部の圧縮を和げ、梃子の作用で固定部の膝蓋部を支点にゴムチューブの復元機能を利用して下腿の前への蹴出しを強め歩行を支援し歩行を促進する能動的機能を提供することを目的としている。
【０００５】
【課題を解決するための手段】
上記目的を達成するために、弾性を有する伸縮布部に、膝装着時に膝を挟んでその上下側に位置し且つ復元機能を利用して下腿の前への蹴出しを強める二本のゴムチューブを長手方向に沿って設けると共に、長手方向に沿って二本のゴムチューブを一部露出させた状態で伸縮自在に保持する複数の中央非伸縮布部と端非伸縮布部を取り付け、中央非伸縮布部の両端の内側に膝蓋パッドを設け、ゴムチューブの伸縮部を膝蓋部の両端に設け、ゴムチューブ露出部に環状の被覆帯を設け、ゴムチューブの両端を固定し、端非伸縮布部の両端に大腿脛骨関節の外側及び内側側副靭帯を支える膝側面パッドを設け滑り止め布で被い、伸縮布部から分岐した二本の長短の帯に膝裏パッドを設け、膝蓋パッドと膝裏パッドを非伸縮布部で被い、膝蓋パッド間の中央の伸縮布部に長手方向に横の切り口を入れ、分岐した二本の長短の帯の端部内面及び伸縮布部の他端部外面に面ファスナーを設けた。
【０００６】
また、ゴムチューブバンド内部に膝に当てる時の膝蓋部の支点と屈曲時の力点及び伸展時の作用点を目的に、ゴムチューブを伸縮自在に保持する中央非伸縮布部の両端の内側に膝蓋パッドを相対して設け、さらに、ゴムチューブの伸縮部を膝蓋部の両端に配設した。
【０００７】
さらに、膝バンドを固定部と伸縮部に分け、固定部の膝蓋部は、ゴムチューブを伸縮自在に保持する中央非伸縮布部の両端の内側に膝蓋パッドを設け非伸縮布部で被い、膝蓋パッド間の中央の伸縮布部に長手方向に横の切り口を入れ、伸縮部の膝蓋部両端に中央非伸縮布部及び端非伸縮布部で被覆されないゴムチューブ露出部を伸縮自在に取り付け、端非伸縮布部の両端に設けた膝側面パッドを滑り止め布で被い、また、伸縮布部から分岐した二本の長短の帯に膝裏パッドを設け、非伸縮布部で被い、分岐した二本の長短の帯の端部内面及び伸縮布部の他端部外面に面フアスナーを設けた。
【０００８】
また、中央非伸縮布部及び端非伸縮布部に被覆されている箇所のゴムチューブは伸びにくく、被覆されないゴムチューブ露出部は伸縮自在である。
【０００９】
また、ゴムチューブの両端にゴムチューブの内面を外側に折り返し瘤を作った。
【００１０】
そして、複数の端非伸縮布部に中央を狭くした穴を作り、他は穴を広げた状態で中央非伸縮布部と共に伸縮布部に取り付け、ゴムチューブ両端の瘤を端非伸縮布部の中央を狭くした穴にに引っ掻け固定した。
【００１１】
また、端非伸縮布部の両端に膝側面パッドを設け滑り止め布で被い、中央非伸縮布部の両端の内側に膝蓋パッド、伸縮布部から分岐した二本の帯に膝裏パッドを設け、膝蓋パッドと膝裏パッドを非伸縮布部で被った。
【００１２】
また、パッドは足部傷害予防にインソールで利用されている人工筋肉（衝撃吸収素材）といわれる粘弾性高分子化合物を使用した。
【００１３】
また、ゴムチューブ露出部を環状に被覆する被覆帯を設けた。
【００１４】
そして、膝部は膝蓋部の上が太く下が細くなっているので、二本のゴムチューブのうち、下のゴムチューブを上のゴムチューブより短かめに、また、分岐した二本の帯のうち下の帯を上の帯より短めに設けた。
【００１５】
【発明の実施の形態】
発明の実施の携帯を実施例に基き図面を参照して説明する。
図１において、歩行を分析すると、膝関節は完全伸展時から屈曲するときは大腿骨に対しての脛骨の滑動と同時に回旋を伴なっている。歩行周期は立脚相と遊脚相の二つの相が存在するが、立脚相は足が床に接地している時期で６０％が立脚期であり、遊脚相は足が前に蹴り出される時期で４０％を占める。歩行の立脚相の趾離地期から遊脚相加速期の間で膝関節は最大６５度の屈曲位をとり膝蓋上部の周径は約２ｃｍ増大する。従って、装着歩行により、固定部の膝蓋部を支点として力点のゴムチューブ露出部の伸縮部が立脚相の趾離地期に緊張し下腿が前に蹴り出され、遊脚相加速期に下腿の振り出しが加速して、遊脚相減速期に弛緩するのがメカニズムである。
【００１６】
【実施例】
図７において、椅子に座り膝を伸した状態で、長い方の帯を上にして伸縮布部１の長手方向に設けた横の切り口１４を膝蓋部に当て、長い方の帯を膝の裏の上に回し膝の側面に面フアスナー１１で接着し、同様に短かい方の帯を膝の裏の下に回し膝の側面に面フアスナー１１で接着する。
【００１７】
伸縮布部１から分岐した二本の長短の帯をやや強めに引き面フアスナー１１で接着することにより、歩行時の下腿の蹴り出しを強める事ができる。
【００１８】
【発明の効果】
本発明は、以上説明したように構成されているので以下に記載されるような効果を奏する。
【００１９】
膝バンド内部に膝蓋部の支点と屈曲時の力点及び伸展時の作用点を目的に、ゴムチューブを伸縮自在に保持する中央非伸縮布部の両端の内側に膝蓋パッドを設け、ゴムチューブの伸縮部を膝蓋部両端に設けゴムチューブの復元力を膝関節に与えることにより、歩行時の下腿の前への蹴出しを強め能動的な歩行支援を行なう事ができる。
【００２０】
また、膝バンドを固定部と伸縮部に分け、固定部の膝蓋部は、ゴムチューブを伸縮自在に保持する中央非伸縮布部の両端の内側に膝蓋パッドを設け非伸縮布部で被い、膝蓋パッド間の中央の伸縮布部に長手方向に横の切り口を入れ、伸縮部の膝蓋部両端に中央非伸縮布部及び端非伸縮布部で被覆されないゴムチューブ露出部を伸縮自在に取り付け、端非伸縮布部の両端に設けた膝側面パッドを滑り止め布で被い、また、伸縮布部から分岐した二本の長短の帯に膝裏パッドを設け非伸縮布部で被い、分岐した二本の長短の帯の端部内面及び伸縮布部の他端部外面に面フアスナーを設け、梃子の作用で固定部の膝蓋部を支点としてゴムチューブの収縮及び弛緩によるゴムチューブの復元機能を利用して下腿の前への蹴出しを強め振り出しを加速させ、歩行を補助し歩行の促進を支援する機能を有する。
【００２１】
さらに、装着歩行によりパッドとゴムチューブの作用で、膝関節を支えた状態で歩行時の下腿の蹴出しを強める能動的な歩行促進機能が膝関節に甦ることになる。
【００２２】
その結果、歩行時の下腿部の蹴りだしが弱い患者さん、即ち、大腿伸展機構の機能低下の患者さんにとって大腿伸展機構を構成する大腿膝蓋関節及び大腿四頭筋の機能が改善され、従来にない理想的な状態での歩行支援が可能になる。
【００２３】
また、膝関節立脚相での体重負荷時に加わる圧縮を緩和し有痛性歩行を和らげるので、膝の器質的疾患で悩む肥満体及び、高齢者の方々の歩行支援や就労支援を行ない軽くて楽な歩行が可能になる。
【００２４】
また、膝蓋部の支点を効かせるために膝蓋部両端の窪みに膝蓋パッドを設け、膝側面パッドは大腿脛骨関節の外側及び内側側副靭帯を支え、膝裏パッドは膝裏へのバンドの食い込みと、ずれを防ぐ効果もある。
【００２５】
また、膝蓋パッド間の中央の伸縮布部に長手方向に横の切り口をいれたので、バンド装着時の膝蓋部の圧迫を緩和することができる。
【００２６】
そして、人工筋肉ともいわれるパッドを採用することにより、すばやく変形しゆっくり元の形に復元することで衝撃を吸収し圧力を均一に分散して関節を構成する軟部組織や靭帯の負担を和らげるので平バネのような取り付け具が不要となる。なお、座位の状態でも型くずれもなく使用可能である。
【００２７】
また、ゴムチューブの両端はゴムチューブ両端の瘤を複数の端非伸縮布部の中央を狭くした穴に瘤を引っ掻け固定したので、ゴムの破損をなくすことができる。
【００２８】
また、ゴムチューブ露出部を伸縮自在に保持し環状に被覆する被覆帯を設けたので、装着時のゴムチューブによる皮膚の直接的圧迫を無くし、かぶれ等の皮膚傷害を和げる事ができる。
【００２９】
また、膝部のフイット感を良くするために、膝部は膝蓋部の上が太く下が細くなっているので、二本のゴムチューブのうち、下のゴムチューブを上のゴムチューブより短かくし、また、分岐した二本の帯のうち下の帯を上の帯より短めに設けた。
【００３０】
さらに、二本のゴムチューブを上下に独立して設けているので、それぞれの膝の周径に適合し、装着感及び運動追従性も改善される等の利点を有する。
【００３１】
そして、ゴムチューブを伸縮自在に保持する複数の中央非伸縮布部の両端の内側に膝蓋パッドを設け、ゴムチューブの伸縮部（露出部）を膝蓋部の両端に設けた事により、膝関節の関節軸と膝バンドの機械軸とを一致させ歩行時のバンドのずれや回旋をより有効に防止することができる。
【００３２】
また、使用者の体重によりゴムチューブの太さ（φ）を選択しゴムチューブの牽引強度の調整により膝関節の締め付け力及び歩行時の脚の前への蹴り出し強度も対応できる。
【図面の簡単な説明】
【図１】歩行分析を示す平面図である。
【図２】ゴムチューブとパッドを利用した歩行促進膝バンドを示す平面図である。
【図３】ゴムチューブとパッドを利用した歩行促進膝バンドを示す側面図である。
【図４】ゴムチューブ露出部の被覆帯を示す平面図である。
【図５】ゴムチューブの両端の瘤を示す平面図である。
【図６】端非伸縮布部の中央を狭くした穴にゴムチューブの瘤を取り付けたことを示す平面図である。
【図７】ゴムチューブとパッドを利用した歩行促進膝バンドの実施例を示す平面図である。（左膝）
【図８】ゴムチューブとパッドを利用した歩行促進膝バンドの実施例を示す背面図である。（左膝内側）
【符号の説明】
１  伸縮布部
２  ゴムチューブ
３  ゴムチューブ露出部
４  中央非伸縮布部
５  端非伸縮布部
６  被覆帯
７  瘤
８  穴
９  膝側面パッド
１０  滑り止め布
１１  膝蓋パッド
１２  膝裏パッド
１３  非伸縮布部
１４  横の切り口
１５  面フアスナー
【図１】
0003783027.tif 000002
【図２】
0003783027.tif 000003
【図３】
0003783027.tif 000004
【図４】
0003783027.tif 000005
【図５】
0003783027.tif 000006
【図６】
0003783027.tif 000007
【図７】
0003783027.tif 000008
【図８】
0003783027.tif 000009